(57)【要約】【課題】回転フォークリフトを使った荷物の積替え作業に用いられる折畳み式パレットであって、フォークリフトによる回転が加えられた場合にパレットの側壁が外れるのを防止し、かつ、組立て時及び折畳み時においてパレットの積重ねが可能とすることで、荷物の積替え作業における安全性の向上及び収納スペースの節約を図る。【解決手段】折畳み式パレットの側壁を使用可能な状態に組立てた場合に、隣接する側壁同士を連結固定するための閂型ロック装置にバネによる負荷で下方向に押えつける構造を設け、また、側壁を組立てた状態及び折畳んだ状態において凹部と凸部を嵌合させることでパレットの積重ねを可能とした構成からなる。【選択図】図１
2005200029.tif 000002
【特許請求の範囲】
【請求項１】
荷物の積替え作業に用いるための回転フォークリフト用パレットであって、側壁が各々独立して折畳み可能な構造を有し、該側壁を組立てる際に隣接する側壁同士を連結固定するためのバネの負荷により下方向へ押えつける構造を有した閂型ロック装置を備えるとともに、パレットの支柱上端に凹部を設けパレットの脚部下端に凸部を設けることで、側壁を組立てた状態でパレットを積重ねたとき、該凹部と凸部が嵌合し、かつ、側壁を組立てた際に前記支柱を支持するガイド枠が設けられ、側壁を折畳んだ状態でパレットを積重ねたとき、該ガイド枠の枠内スペースと前記凸部が嵌合することを特徴とする回転フォークリフト用パレット。
【発明の詳細な説明】
【技術分野】
【０００１】
本発明は、回転フォークリフトを使った荷物の積替え作業に用いられるパレットに関するものである。
【背景技術】
【０００２】
回転フォークリフトを使った荷物の積替え作業に用いられるパレットについて、フォークリフトによる回転が加えられることからパレットの側壁が固定式のものを使用する場合が多い。
【０００３】
側壁の折畳み可能なパレットが使用される場合もあるが、回転が加えられた場合に側壁にがたつきが生じたり、あるいは、側壁の連結機構が外れて一以上の側壁が固定されていない状態となってしまうことが多々ある。この場合、外れた側壁が積替え先のトラック等に衝突してしまうこととなり大変に危険である。また、側壁の外れた衝撃により、回転フォークリフトに過大な負荷が加えられることとなってフォークリフトの傷みが進行してしまう。さらには、係る衝撃によってパレット自体がフォークリフトのフォーク部から外れて落下してしまう危険性もある。
【特許文献１】特開平２‐２５８５５３号公報
【特許文献２】実開平７‐４３３４号公報
【特許文献３】実開平６‐５１１３５号公報
【発明の開示】
【発明が解決しようとする課題】
【０００４】
本発明は、上記問題点に鑑み、回転フォークリフトを使った荷物の積替え作業に用いられるパレットであって、折畳み式になっており、組立てた状態においてパレットの側壁同士の連結が該フォークリフトの回転によって外れることがなく、かつ、組立てた状態及び折畳んだ状態において積重ね可能となっているパレットを提供することを目的とする。
【課題を解決するための手段】
【０００５】
前記目的を達成するため、本発明は、荷物の積替え作業に用いるための回転フォークリフト用パレットであって、側壁が各々独立して折畳み可能な構造を有し、該側壁を組立てる際に隣接する側壁同士を連結固定するためのバネの負荷により下方向へ押えつける構造を有した閂型ロック装置を備えるとともに、パレットの支柱上端に凹部を設けパレットの脚部下端に凸部を設けることで、側壁を組立てた状態でパレットを積重ねたとき、該凹部と凸部が嵌合し、かつ、側壁を組立てた際に前記支柱を支持するガイド枠が設けられ、側壁を折畳んだ状態でパレットを積重ねたとき、該ガイド枠の枠内スペースと前記凸部が嵌合する構成となっている。
【発明の効果】
【０００６】
本発明の回転フォークリフト用パレットによれば、フォークリフトによる回転が加えられてもパレットの側壁は連結固定されたまま外れることなく、安全に荷物の積替え作業を行うことが可能となる。
【０００７】
また、パレットを組立てた状態及び折畳んだ状態において積重ね可能であることから、荷物を積んでいる状態及び空の状態において積重ね収納が容易で収納スペースの節約にも繋がり、さらには、積重ねた状態のパレットが崩れ落ちる心配もないといった効果がある。
【発明を実施するための最良の形態】
【０００８】
以下、本発明による回転フォークリフト用パレットの実施例を図面に基づいて説明する。
【実施例】
【０００９】
図１は、本発明に係る回転フォークリフト用パレットが組立てられた状態を示す斜視図である。フォーク差込口３を有するパレット床体の四隅には支柱４を固定するためのガイド枠５が設けられ、さらに該ガイド枠５の下部には脚部１０が設けられている。パレット１の第一の側壁２ａは、該側壁２ａの下部に設けられている差込軸棒６がガイド枠５に設けられた差込孔５ｂに差込まれることによりガイド枠５と回動自在に連結されている。パレット１の第二の側壁２ｂは左右両端の二本の支柱４に固着され一体となっており、該支柱４はガイド枠５とヒンジ７によってパレット１の床体方向へ回動自在に連結されている。
【００１０】
第一の側壁２ａの左右両端には、隣接する第二の側壁２ｂと連結固定するためのロック装置８が設けられており、各側壁を起立させた状態において該ロック装置８を施錠することによって各側壁は互いに連結固定され、パレット１は使用できる状態へと組立てられる。
【００１１】
図２は、本発明に係るパレット１を折畳む際の手順を示す説明図である。まず始めに、図２（ａ）に示す通り、パレット１の第一の側壁２ａの左右両端に設けられているロック装置８を外す。続いて、図２（ｂ）に示す通り、第一の側壁２ａをパレット１の床体方向へ倒す。係る場合に、相対する二枚の第一の側壁２ａが該床体の上で重なり合う。このとき、二枚の第一の側壁２ａのうちいずれを先に倒すことも可能である。最後に、図２（ｃ）に示す通り、第二の側壁２ｂをパレット１の床体方向へ第一の側壁２ａの上に重ねるように倒す。係る場合に、相対する二枚の第二の側壁２ｂが第一の側壁２ａ上で重なり合う。このとき、第一の側壁２ａを倒すのと同様、二枚の第二の側壁２ｂのうちいずれを先に倒すことも可能である。
【００１２】
図４は、上記の通りパレット１を折畳む場合の各側壁の折畳み機構を示す説明図である。第一の側壁２ａの下部の左右両端にはガイド枠５に設けられた差込孔５ｂに差込むための差込軸棒６が設けられ、該差込軸棒６が差込孔５ｂに差込まれることで第一の側壁２ａはガイド枠５と回動自在に連結されている。これにより、第一の側壁２ａをパレット１の床体方向へ倒すことが可能となる。
【００１３】
また、第二の側壁２ｂは左右両端の二本の支柱４と固着され一体となっており、該支柱４とガイド枠５とはヒンジ７によって回動自在に連結されている。これにより、第二の側壁２ｂをパレット１の床体方向へ第一の側壁２ａの上に重ねるように倒すことが可能となる。
【００１４】
なお、パレット１を組立てる場合には上記折畳む際の手順と逆の手順で行えばよく、まず第二の側壁２ｂを起立さる。このとき、第二の側壁２ｂの左右両端に固着され一体となっている支柱４は、ガイド枠５の枠内スペース５ａに収まる格好となる。次いで第一の側壁２ａを起立させ、最後にロック装置８により施錠をすることにより組立てられる。このとき、まず二枚の第一の側壁２ａのうちの一方を起立させた段階で、ロック装置８により第二の側壁２ｂとの施錠を行い、その後に他方の第一の側壁２ａを起立させ、同じ様にロック装置８にて施錠を行う。
【００１５】
図３は、本発明に係るパレット１を組立てた場合における隣接する側壁同士を連結するロック装置８を示す拡大図であり、かつ、組立てられた状態のパレット１を積重ねるための支柱４及び脚部１０の構造を示す説明図である。
【００１６】
ロック装置８は閂型であって第一の側壁２ａの左右両端に設けられており、ハンドル８ａによって上下移動させながら施錠及び開錠を行う。ハンドル８ａは閂本体８ｂと固着され一体となっており、該ハンドル８ａを上下移動させることで閂本体８ｂの先端が支柱４に設けられている閂差込孔４ｃに差込まれることにより施錠され、逆に閂本体８ｂの先端が閂差込孔４ｃから抜き出されることにより開錠される。係る閂本体８ｂは枠体８ｃにより囲われており、該枠体８ｃの内部における閂本体８ｂの根本部分には枠体８ｃから閂本体８ｂの先端を押出そうとする負荷を加えるためのバネ８ｄが備えられている。すなわち、閂本体８ｂの先端を閂差込孔４ｃへ差込んだ場合に閂本体８ｂは下方向に押さえつけられ、ハンドル８ａを使って上方向に力を加えない限り、閂差込孔４ｃから閂本体８ｂの先端を抜き出すことはできない。これにより、回転フォークリフトによってパレット１が回転され横向きや逆様等の状態になった場合にも、各側壁同士は固く連結固定され外れる心配は全くない。
【００１７】
なお、ロック装置８による施錠は第一の側壁２ａを起立させた段階で行われるが、そのとき支柱４に設けられている二つの位置決め板４ａが第一の側壁２ａ及びロック装置８の枠体８ｃのそれぞれに当接し、また、支柱４に設けられた掛け爪４ｂと第一の側壁２ａに設けられた掛け爪２１とが掛かり合って、第一の側壁２ａの位置決めが行われ、ロック装置８の施錠が容易に行える構造となっている。
【００１８】
上記の通り組立てられたパレット１について積重ねを行う場合、パレット１の四隅の支柱４の上端には凹部９が設けられ、また、パレット１の床体下部の四隅にある脚部１０には該凹部９に嵌合可能となるような凸部１０ａが設けられ、この凹部９に凸部１０ａが上から嵌合されることパレット１が積重ねられる。このようにして積重ねた使用状態が図５で示されている。
【００１９】
図４はまた、本発明に係るパレット１が折畳まれた状態において積重ねる場合の構造を示す説明図である。パレット１を組立てた場合に支柱４が収まる枠内スペ−ス５ａは、折畳んだ状態では脚部１０に設けられた凸部１０ａを嵌合させるための凹部の役目を兼ね備えている。すなわち、凸部１０ａはパレット１が組立てられた状態においては支柱４上端に設けられた凹部９に嵌合されるところ、折畳んだ状態においてはガイド枠５の枠内スペース５ａに嵌合されることとなる。これにより、折畳んだ状態においてもパレット１の積重ねが可能である。このようにして積重ねた使用状態が図６に示されている。
【００２０】
上記の通り積重ねられたパレット１は、凹部９あるいは枠内スペース５ａと凸部との嵌合によりバランス的に安定しているため崩れ落ちる心配はなく、また、パレット１の収納スペースの節約にも繋がる。
【００２１】
図７は、本発明に係るパレット１により実際に回転フォークリフトＦを使ってトラックＴへの荷物の積替え作業を行っている状態を示す使用説明図である。
【００２２】
なお、本発明に係るパレット１は、主に回転フォークリフトを使った荷物の積替え作業に用いられるパレットであるが、これに限定されるものではなく、実際に使用する場合には、通常のパレットとしても使用可能であることは言うまでもない。
【図面の簡単な説明】
【００２３】
【図１】本発明に係る回転フォークリフト用パレットが組立てられた状態を示す斜視図である。
【図２】本発明に係るパレットを折畳む際の手順を示す説明図である。
【図３】本発明に係るパレットを組立てた場合における隣接する側壁を連結するロック装置を示す拡大図であり、かつ、組立てられた状態のパレットを積重ねるための支柱及び脚部の構造を示す説明図である。
【図４】本発明に係るパレットを折畳む場合の各側壁の折畳み機構を示す説明図であり、かつ、折畳まれた状態のパレットを積重ねる場合の構造を示す説明図である。
【図５】本発明に係るパレットが組立てられた状態において積重ねられた状態を示す使用説明図である。
【図６】本発明に係るパレットが折畳まれた状態において積重ねられた状態を示す使用説明図である。
【図７】本発明に係るパレットにより回転フォークリフトを使ってトラックへの荷物の積替え作業を行っている状態を示す使用説明図である。
【符号の説明】
【００２４】
１    パレット
２ａ  第一の側壁
２ｂ  第二の側壁
３    フォーク差込口
４    支柱
４ａ  位置決め板
４ｂ  掛け爪
４ｃ  閂差込孔
５    ガイド枠
５ａ  枠内スペース
５ｂ  差込孔
６    差込軸棒
７    ヒンジ
８    ロック装置
８ａ  ハンドル
８ｂ  閂本体
８ｃ  枠体
８ｄ  バネ
９    凹部
１０    脚部
１０ａ  凸部
１１    面取り部
２１    掛け爪
Ｆ    フォークリフト
Ｔ    トラック
【図１】
2005200029.tif 000003
【図２】
2005200029.tif 000004
【図３】
2005200029.tif 000005
【図４】
2005200029.tif 000006
【図５】
2005200029.tif 000007
【図６】
2005200029.tif 000008
【図７】
2005200029.tif 000009